(57)【要約】【課題】ソケットへの光源装置の取付が容易な照明器具を提供する。【解決手段】電気的な光源を保持した本体部１１及び本体部１１を挟む両側にそれぞれ設けられて一対ずつのピン１３を有する口金１２を有する光源装置１と、ピン１３が挿入されるピン挿入口２１を一対ずつ有し一方ずつの口金１２が接続される２個のソケット２とを備える。光源装置１の一方の口金１２には、光源に電気的に接続された受電コネクタ１４が設けられ、上記一方の口金１２が接続されるソケット２には、ピン挿入口２１へのピン１３の挿入とともに受電コネクタ１４が接続される給電コネクタ２３が設けられている。ピン挿入口２１へのピン１３の挿入とは別途に給電コネクタ２３への受電コネクタ１４の接続作業を必要とする場合に比べ、ソケット２への光源装置１の取付が容易となる。【選択図】図１
2013164909.tif 000002
【特許請求の範囲】
【請求項１】
電気的な光源を保持した本体部及び前記本体部を挟む両側にそれぞれ設けられて一対ずつのピンを有する口金を有する光源装置と、
前記ピンが挿入されるピン挿入口を一対ずつ有し一方ずつの口金が接続される２個のソケットとを備え、
前記光源装置の一方の口金には、前記光源に電気的に接続された受電コネクタが設けられ、
前記一方の口金が接続される前記ソケットには、前記ピン挿入口への前記ピンの挿入とともに前記受電コネクタが接続される給電コネクタが設けられていることを特徴とする照明器具。
【請求項２】
前記給電コネクタに接続された前記受電コネクタに対し前記光源を点灯させる電力を出力する電源装置と、
各前記ソケットと前記電源装置とをそれぞれ保持する器具本体とを備えることを特徴とする請求項１記載の照明器具。
【発明の詳細な説明】
【技術分野】
【０００１】
本発明は、照明器具に関するものである。
【背景技術】
【０００２】
従来から、電気的な光源を有する光源装置が着脱自在に結合するソケットを備える照明器具が提供されている。
【０００３】
上記の光源装置としては、光源としての複数個の発光ダイオードを有し、一般的な直管形の蛍光灯に準じた外形に形成された直管形ＬＥＤランプがある（例えば、特許文献１参照）。
【０００４】
さらに、上記の光源装置が接続される照明器具において、直管形の蛍光灯に対応した構造のソケットを有しながらも、光源装置においてピンとは別途に設けられた受電コネクタにより、光源装置との電気的な接続を達成するものがある。上記のように別途のコネクタを用いれば、ピンを用いて電気的な接続を達成する場合と違い、仮に蛍光灯が誤って接続されても、発光ダイオード用の電力が蛍光灯に出力されてしまうことがない。
【先行技術文献】
【特許文献】
【０００５】
【特許文献１】特開２０１１−１８１５３３号公報
【発明の概要】
【発明が解決しようとする課題】
【０００６】
従来は、上記のような照明器具において光源装置をソケットに取り付ける際、直管形の蛍光灯に準じた形状のピンをソケットに挿入する作業とは別途に、受電コネクタを接続する作業が必要であり、作業が比較的に煩わしかった。
【０００７】
本発明は、上記事由に鑑みて為されたものであり、その目的は、ソケットへの光源装置の取付が容易な照明器具を提供することにある。
【課題を解決するための手段】
【０００８】
本発明の照明器具は、電気的な光源を保持した本体部及び前記本体部を挟む両側にそれぞれ設けられて一対ずつのピンを有する口金を有する光源装置と、前記ピンが挿入されるピン挿入口を一対ずつ有し一方ずつの口金が接続される２個のソケットとを備え、前記光源装置の一方の口金には、前記光源に電気的に接続された受電コネクタが設けられ、前記一方の口金が接続される前記ソケットには、前記ピン挿入口への前記ピンの挿入とともに前記受電コネクタが接続される給電コネクタが設けられていることを特徴とする。
【０００９】
上記の照明器具において、前記給電コネクタに接続された前記受電コネクタに対し前記光源を点灯させる電力を出力する電源装置と、各前記ソケットと前記電源装置とをそれぞれ保持する器具本体とを備えることが望ましい。
【発明の効果】
【００１０】
本発明によれば、ピン挿入口へのピンの挿入とともに給電コネクタへの受電コネクタの接続が達成されるから、ピンの挿入とは別途に受電コネクタの接続作業が必要な場合と比べてソケットへの光源装置の取付が容易となる。
【図面の簡単な説明】
【００１１】
【図１】本発明の実施形態１の要部を示す分解斜視図である。
【図２】同上を示す分解斜視図である。
【図３】同上を示すブロック図である。
【図４】同上の光源装置の要部を示す斜視図である。
【図５】同上のソケットを示す斜視図である。
【図６】同上の変更例におけるソケットを示す正面図である。
【図７】図６の例における光源装置を示す正面図である。
【図８】本発明の実施形態２の要部を示す斜視図である。
【図９】同上のソケットを示す斜視図である。
【図１０】同上の光源装置の要部を示す斜視図である。
【発明を実施するための形態】
【００１２】
以下、本発明を実施するための最良の形態について、図面を参照しながら説明する。
【００１３】
（実施形態１）
本実施形態は、図２に示すように、電気的な光源１０（図３参照）を保持した本体部１１及び本体部１１を挟む両側にそれぞれ設けられた口金１２ａ，１２ｂを有する光源装置１と、一方ずつの口金１２ａ，１２ｂが接続される２個のソケット２ａ，２ｂとを備える。
【００１４】
上記の光源としては例えば発光ダイオードアレイのような周知の光源を用いることができる。また、本体部１１は円柱形状であって口金１２ａ，１２ｂは本体部１１の軸方向の両端に設けられている。さらに、本体部１１において外周面の少なくとも一部は、光源の光を出射させるように透光性を有する材料で構成されている。また、各口金１２ａ，１２ｂにおいて本体部１１に対して逆側へ向けられる面には、それぞれ、２本ずつのピン１３が突設されている。各ピン１３はそれぞれ円柱形状であって、一方の口金１２ａの各ピン１３は他方の口金１２ｂの一方ずつのピン１３に対し互いの中心軸を揃えている。
【００１５】
以下、上下方向は図２を基準とし、本体部１１の軸方向を左右方向と呼ぶ。また、各口金１２ａ，１２ｂにおいてピン１３が並ぶ方向を前後方向と呼ぶ。なお、上記の方向は説明の便宜上定義するものであって、実際の使用状態での方向とは必ずしも一致しない。
【００１６】
ここで、光源装置１においては、図３に示すように、光源１０への給電は、ピン１３ではなく受電コネクタ１４を介して行われる。一方の口金１２ａには、図１に示すように、ピン１３の下側において本体部１１からの突出寸法を小さくする段１５が設けられている。受電コネクタ１４は雄側コネクタ（いわゆるプラグ）であって、段１５から下方に突出する形で設けられている。
【００１７】
また、図５に示すように、各ソケット２ａ，２ｂにおいて互いに対向する面には、それぞれ、１本ずつのピン１３が挿入される２個のピン挿入口２１が前後に並べて設けられている。さらに、上記一方の口金１２ａが接続されるソケット２ａにおいては、ピン挿入口２１の下側に凸部２２が設けられ、この凸部２２の上面には受電コネクタ１４が接続される給電コネクタ２３が開口している。給電コネクタ２３内には、例えば金属からなり受電コネクタ１４が有する導電部（いわゆるコンタクト）に接触する導電部が設けられており、受電コネクタ１４が給電コネクタ２３に挿入されたときには上記の導電部同士が接触導通することで電気的な接続が達成される。すなわち、給電コネクタ２３は、雌側のコネクタ（いわゆるレセプタクル）となっている。給電コネクタ２３内の上記導電部は、光源１０を点灯させる電力を生成する電源装置３（図３参照）に電気的に接続されている。すなわち、光源１０は、給電コネクタ２３と受電コネクタ１４とを介して電源装置３から給電されて点灯する。電源装置３は外部の交流電源４（図３参照）から供給された交流電力を光源１０に応じた適宜の電力（例えば所定電圧の直流電力）に変換する電気回路であり、このような電源装置３は周知技術で実現可能であるので詳細な図示並びに説明は省略する。上記の電源装置３は、各ソケット２ａ，２ｂとともに、適宜形状の構造体である器具本体（図示せず）に保持される。
【００１８】
ここで、ピン挿入口２１は、光源１の軸方向である左右方向だけでなく上方にも開放されており、図１に矢印Ａ１で示すようにピン１３はピン挿入口２１に対し上方から導入される。また、ピン挿入口２１の下端部と給電コネクタ２３の開口縁との位置関係は、ピン１３の根元と受電コネクタ１４の根元との位置関係にほぼ一致しており、ピン１３がピン挿入口２１の下端まで到達したときに受電コネクタ１４も給電コネクタ２３に根元まで挿入される。言い換えると、ピン挿入口２１へのピン１３の挿入が完了するのと同時に、給電コネクタ２３への受電コネクタ１４の挿入が完了する。
【００１９】
光源装置１とソケット２ａ，２ｂとの機械的な結合力は、例えば、ピン挿入口２１内に配置されたクリップ状の保持ばね２４がピン１３を弾性的に挟持することで確保される。また、図６に示すようにソケット２ａにはピン１３の挿抜方向（図６での上下方向）に直交する方向に開口した係合凹部２５を設けるとともに、図７に示すように光源装置１の口金１２ａには矢印Ａ２で示すような弾性変形により係合凹部２５に係脱可能なＬ字形状の係合爪１６を設け、上記の係合爪１６と係合凹部２５との係合により上記の結合力を発生させてもよい。
【００２０】
上記構成によれば、ピン挿入口２１へのピン１３の挿入完了と同時に給電コネクタ２３への受電コネクタ１４の挿入が完了するから、ピン１３の挿入とは別途に受電コネクタ１４の接続作業が必要な場合と比べてソケット２ａ，２ｂへの光源装置１の取付が容易となる。
【００２１】
（実施形態２）
本実施形態の基本構成は実施形態１と共通であるので、共通する部分については説明を省略する。
【００２２】
本実施形態におけるソケット２ａ，２ｂは、図８及び図９（給電コネクタ２３を有する一方のソケット２ａのみを図示）に示すように、器具本体に対して固定されるベース２６とベース２６に対して弾性的に変位可能なプランジャ２７とを有するいわゆるプランジャ式である。ピン挿入口２１はプランジャ２７において光源装置１の軸方向に相当する方向にのみ開口している。また、各ソケット２ａ，２ｂにおいて、プランジャ２７は、他方のソケット２ａ，２ｂから離れる方向（つまり、光源装置１の軸方向に相当する方向の一方側であって、ベース２６内に押し込まれる方向）に弾性的に変位可能となっている。プランジャ２７の復帰力は、例えばソケット２内に収納され一端がベース２６に固定されて他端がプランジャ２７に弾接するばね（図示せず）によって付与される。
【００２３】
上記のソケット２は、弾性復帰した状態でのプランジャ２７間の距離が光源装置１においてピン１３が突設された端面間の距離と同程度となるような位置関係で、ピン挿入口２１の開口面同士を互いに対向させて配置される。光源装置１を接続するには、一方の口金１２の各ピン１３をそれぞれ一方のソケット２ａ，２ｂのピン挿入口２１に挿入し、該一方の口金１２のプランジャ２７を押し込みつつ、他方の口金１２の各ピン１３をそれぞれ他方のソケット２ａ，２ｂのピン挿入口２１に挿入する。その後、プランジャ２７への押力を解除すると、各プランジャ２７がそれぞれ復帰し、光源装置１の接続が完了する。
【００２４】
ここで、本実施形態では、光源装置１において受電コネクタ１４は図１０に示すようにピン１３と共通の方向（すなわち光源装置１の軸方向）に突出しており、ソケット２ａにおいて給電コネクタ２３はピン挿入口２１と同じ方向に開口している。
【００２５】
すなわち、本実施形態においても、図８に矢印Ａ３で示すようなピン挿入口２１へのピン１３の挿入とともに受電コネクタ１４の接続が達成されるのであり、受電コネクタ１４の接続作業をピン１３の挿入とは別途に行う必要がある場合に比べてソケット２ａ，２ｂへの光源装置１の取付が容易となる。
【００２６】
ところで、実施形態１では、給電コネクタ２３を有するソケット２ａに設けられた凸部２２が邪魔になることで、凸部２２に対応した段１５のような形状を有さない口金１２ｂを上記ソケット２ａに接続することができない。これに対し、本実施形態においては、上記のような凸部２２がソケット２ａに設けられておらず、給電コネクタ２３も雌側であってピン挿入口２１の開口面から突出していないから、一般的な形状の口金１２ｂに干渉するような凸形状がソケット２ａに存在しない。従って、給電コネクタ２３を有するソケット２ａを両側に用いることで、光源装置１を軸方向に関して逆向きにしても接続可能とすることができる。また、構造上は直管形の蛍光灯を取付可能となっているので、蛍光灯を点灯させる適宜の電気回路を設けるとともに、上記の電気回路に電気的に接続された端子をピン挿入口２１内に設けることで、直管形の蛍光灯の接続及び点灯も可能とすることができる。
【００２７】
なお、上記では受電コネクタ１４が雄側（いわゆるプラグ）であって給電コネクタ２３が雌側（いわゆるレセプタクル）となっているが、上記の雌雄を逆転させてもよく、また、雌雄の区別がないコネクタを用いてもよい。
【符号の説明】
【００２８】
１  光源装置
２  ソケット
３  電源装置
１０  光源
１１  本体部
１２  口金
１３  ピン
１４  受電コネクタ
２１  ピン挿入口
２３  給電コネクタ
【図１】
2013164909.tif 000003
【図２】
2013164909.tif 000004
【図３】
2013164909.tif 000005
【図４】
2013164909.tif 000006
【図５】
2013164909.tif 000007
【図６】
2013164909.tif 000008
【図７】
2013164909.tif 000009
【図８】
2013164909.tif 000010
【図９】
2013164909.tif 000011
【図１０】
2013164909.tif 000012